(57)【要約】      （修正有）【課題】特に児童生徒達を交通事故から護るため、「交通安全対策」という特別の意識を強いられて、恥ずかしさを我慢して非自主的に着衣させるのでなく、自ら積極的に日常的な着衣として魅力ある身の安全を護る反射材踊躍リボン付きおしゃれ脚絆を提供する。【解決手段】長靴下の足首から先を切除した様な形で略筒状の脚絆本体６を形成し、その上下開口縁手前にシャーリングゴム様縫付け部５ａ、５ｂを設け、履いた時の正面上部に再帰性反射材を用いて反射材踊躍リボン部を形成し、それをその部位の生地裏側に設けたリボン取付け用小ポケット７に取付けクリップ９で装着し、夜間歩行中に膝の規則的な運動軌跡と相俟って自由な踊り跳ねる踊躍リボン１０の動きを生じさせ、再帰性反射材の特異な鮮やかな輝きで、車のドライバーの注意を強烈に喚起せしめる事を特徴とする。【選択図】図４
0003196853.tif 000002
【実用新案登録請求の範囲】
【請求項１】
ゲートルの様な巻脚絆ではなく、履いた状態において、ストッキングもしくは膝まで来る長靴下から足部を切除したような、上下を開口した略筒型で、全体を伸縮性のある生地で形成し、上部開口縁辺を数ｃｍ幅のフリル状に形成し、このフリルの数ｃｍ下位に数ｃｍ幅の帯状再帰性反射材を周回させて縫着設置し、この帯状再帰性反射材から更に数ｃｍ下位にシャーリングゴム様縫付け部を設け、ここからずっと下って踝辺の位置に、足首サイズのシャーリングゴム様縫付け部を設け、このシャーリングゴム様縫付け部から下方端まで数ｃｍ幅のフリル状に形成するのであり、ここにおける上下二つのシャーリングゴム様縫付け部に挟まれた領域を脚絆本体部と呼称するのであるが、脚絆本体部において、履いた状態にあって前面中央上部‐即ち上部のシャーリングゴム様縫付け部辺‐の生地裏側に、約２〜３ｃｍ深さ・縦細長のリボン取付け用小ポケットを形設し、背面中央下部‐即ち下部のシャーリングゴム様縫付け部近辺‐に目玉状等再帰性反射材を縫着設置するのであり、このように形成された脚絆部とは一応分離的に、細長状のリボン取付けクリップを真ん中にして左右に・再帰性反射材を用いた蝶々羽様等の・歩を進める毎に自ずと踊り跳ねるように動く踊躍リボンを・弾性細線材で一体的に連結し、斯様に形成された反射材踊躍リボン部を脚絆本体部のリボン取付け用小ポケットに装着し、斯くして一つの全体としての「脚絆型安全グッズ」として利用され、特に夜間において車のライトが下向きに照らしている時にも、歩く人の身体の真っ先に照射される脚部位において、上下動が波のように進んでいく膝一帯の運動軌跡に伴って、弾性細線材を介してひらひらと踊り跳ねながら、光源への全方向再帰性反射材の鮮やかな輝きによって、いち早くドライバーへの認識を効果的ならしめ、洗濯に際しては反射材踊躍リボン部を簡単に取り外しおき、非使用時には脚絆部は普通の布生地製品同様にきれいに薄く畳んで、反射材踊躍リボン部と一緒にコンパクトに収納できることを特徴とする、身の安全を護る反射材踊躍リボン付きおしゃれ脚絆。
【考案の詳細な説明】
【技術分野】
【０００１】  本考案は、交通事故等の危険から身を護るための脚絆型安全グッズに関するものである。
【背景技術】
【０００２】（イ）従来、交通安全対策として、「交通安全週間」等を設けて、その期間、一般の反射材で作ったタスキ掛け等を身に付けて一般歩行者大衆に交通安全へ関心を喚起したり、児童・園児達に、黄色い帽子を着用させて、ドライバー達への注意を喚起したり等の努力がなされて来た。
（ロ）脚絆の使用は、例えば旧って陸軍歩兵の兵士の脚下半部に巻脚絆が着衣されていたことが広く周知されており、現在では山林農地の草刈作業における動力草刈機の刃による脛部切創事故防止用に、金属板等も含む頑丈な素材を用いた脚絆型防具も知られている（特許文献１参照）。
（ハ）また、交通安全指導において警察官等が着衣しているという脚絆帯等も知られている（特許文献２参照）。
【先行技術文献】
【特許文献】
【０００３】
【特許文献１】  特許公開２００８−３８３１９号  公報
【特許文献２】  登録実用新案第３１３６９９８号  公報
【考案の概要】
【考案が解決しようとする課題】
【０００４】  前項［背景技術］に示される先行技術は、イにおいては、対象主体が特別の「運動」とか特定の組織的指揮に従っている際の、基本的に一時的で非自発的な行動としての「反射材」安全グッズの着用にすぎないと言える。特に、児童生徒達は成長と共に羞恥心の発達を伴うのであり、普段と異なる特別のグッズの着衣は、外的強制のない日常生活の中では「恥ずかしさ」から自発的に着衣使用することは望めない。普段の着衣として単に「格好いい・素敵感」のある故に自ら進んで使用し、結果的に交通安全対策の効果的な機能役割を果たす様なグッズが求められる。
上記ロにおいては、文字通り危険な作業上の直接的な脚下半部の防具であり、他人（車のドライバー）にわが身の存在を知らせる様な目的とは次元の違う事柄である。
同じ上記ハにおいては、「脚絆」グッズではあるが、あくまでも脚絆帯であり、所謂巻脚絆であり、「帯」がズレ動いてしまうのを面ファスナーで防止する事を主眼とする技術手段であって、本考案の筒状脚絆とは基本構造的に異なり、且つ児童生徒達に着衣させられる様なグッズとしては余りに非現実的なものである。
【課題を解決するための手段】
【０００５】  ゲートルの様な巻脚絆ではなく、履いた状態において、ストッキングもしくは膝まで来る長靴下から足部を切除したような、上下を開口した略筒型で、全体を伸縮性のある生地で形成し、上部開口縁辺を数ｃｍ幅のフリル状に形成し、このフリルの数ｃｍ下位に数ｃｍ幅の帯状再帰性反射材を周回させて縫着設置し、この帯状再帰性反射材から更に数ｃｍ下位にシャーリングゴム様縫付け部を設け、ここからずっと下って踝辺の位置に、足首サイズのシャーリングゴム様縫付け部を設け、このシャーリングゴム様縫付け部から下方端まで数ｃｍ幅のフリル状に形成する。
ここにおける上下二つのシャーリングゴム様縫付け部に挟まれた領域を脚絆本体部と呼称する。脚絆本体部において、履いた状態にあって前面中央上部‐即ち上部のシャーリングゴム様縫付け部辺‐の生地裏側に、約２〜３ｃｍ深さ・縦細長のリボン取付け用小ポケットを形設し、背面中央下部‐即ち下部のシャーリングゴム様縫付け部近辺‐に目玉状等再帰性反射材を縫着設置する。
このように形成された脚絆部とは一応分離的に、細長状のリボン取付けクリップを真ん中にして左右に・再帰性反射材を用いた蝶々羽様等の・歩を進める毎に自ずと踊り跳ねるように動く踊躍リボンを・弾性細線材で一体的に連結し、斯様に形成された反射材踊躍リボン部を脚絆本体部のリボン取付け用小ポケットに装着し、斯くして一つの全体としての「脚絆型安全グッズ」として利用される。
特に夜間において車のライトが下向きに照らしている時にも、歩く人の身体の真っ先に照射される脚部位において、上下動が波のように進んでいく膝一帯の運動軌跡に伴って、弾性細線材を介してひらひらと踊り跳ねながら、光源への全方向再帰性反射材の鮮やかな輝きによって、いち早くドライバーへの認識を効果的ならしめる。洗濯に際しては反射材踊躍リボン部を簡単に取り外しおき、非使用時には脚絆部は普通の布生地製品同様にきれいに薄く畳んで、反射材踊躍リボン部と一緒にコンパクトに収納できる。
以上を特徴とする身の安全を護る反射材踊躍リボン付きおしゃれ脚絆である。
【考案の効果】
【０００６】  （イ）車が通常ライトを下に落として走行する時、ライトに照らし出される人体の最初の部位は丁度膝から下であり、本考案は丁度そこに、全方位に再帰的に鮮やかに光反射する再帰性反射材を用いた特徴的なデザイン化されたリボンを設置することによって、いち早く自己所在をドライバーに認識させる。
（ロ）デザイン化されたリボンは、弾性細線材で連結されているため、歩行者の膝の運動軌跡の中で、あたかも蝶々やサッカーボールがひらひらと踊り跳ねまわっているかの如き目立った興味深い動きをするため、躍動的な反射体がドライバーにいやでも注意を引かせる事ができる。且つ、その際の反射して輝く光の性質が、普通の反射材に比して驚く程妖しくも鮮やかに輝くので、その効果は抜群である。
（ハ）本考案は、脚絆の後側にも目玉状等再帰性反射材を設けているので、後方からのライトにもいち早く反射して認識せしめる事ができる。
（ニ）脚絆の上下にシャーリングゴム様縫付け部が設けてあるので、脚や足首の大きさに心地良く適応しつつ、ずり落ちたりする心配がなく、傍目にも常に颯爽と見える。
（ホ）脚絆冬用は保温に優れた生地素材を用い、夏用は通気性を有しつつ撥水加工生地で形成されるので、季節を問わず、男女を問わず、年齢的にも幅広い層に、特別の「交通安全対策」を意識することなく、シンプルに格好良く・素敵な着衣具の一つとして日常的に、自主的な選択によって利用される可能性が非常に高い。
（ヘ）表からは見えない生地裏面の一定位置にリボン取付け用小ポケットが設けてあるので、リボン取付け位置が分かりやすく一定し、且つ冬期にリボン取付けクリップの冷たさが直接肌に当たることもなく快適である。
（ト）反射材踊躍リボン部が脚絆部と分離し、反射材踊躍リボン部の模様替えも自由にできる。
（チ）洗濯時には反射材踊躍リボン部が簡単に外す事が出来、又非使用時には小さく折り畳めて、収納にも携帯にも便利である。
【図面の簡単な説明】
【０００７】
【図１】本考案の一部である反射材踊躍リボンを示す正面図
【図２】本考案の一部である目玉状等再帰性反射材を示す正面図
【図３】本考案の一部である脚絆部を装着した状態を示す正面図（イ）と背面図（ロ）
【図４】本考案を装着した状態を示す正面図（イ´）と背面図（ロ´）
【考案を実施するための形態】
【０００８】  以下本考案の実施の形態を説明する。
ゲートルの様な巻脚絆ではなく、履いた状態において、ストッキングもしくは膝まで来る長靴下から足部を切除したような、上下を開口した略筒型で、全体を伸縮性のある生地で形成し、上部開口縁辺を数ｃｍ幅のフリル（３ａ）状に形成し、このフリル（３ａ）の数ｃｍ下位に数ｃｍ幅の帯状再帰性反射材（４）を周回させて縫着設置し、この帯状再帰性反射材（４）から更に数ｃｍ下位にシャーリングゴム様縫付け部（５ａ）を設け、ここからずっと下って踝辺の位置に、足部位（１３）首サイズのシャーリングゴム様縫付け部（５ｂ）を設け、このシャーリングゴム様縫付け部（５ｂ）から下方端まで数ｃｍ幅のフリル（３ｂ）状に形成する。
ここにおける上下二つのシャーリングゴム様縫付け部（５ａ，５ｂ）に挟まれた領域を脚絆本体部（６）と呼称する。脚絆本体部（６）において、履いた状態にあって前面中央上部‐即ち上部のシャーリングゴム様縫付け部（５ａ）辺‐の生地裏側に、約２〜３ｃｍ深さ・縦細長のリボン取付け用小ポケット（７）を形設し、背面中央下部‐即ち下部のシャーリングゴム様縫付け部（５ｂ）近辺‐に目玉状等再帰性反射材（８）を縫着設置する。
このように形成された脚絆部（１）とは一応分離的に、細長状のリボン取付けクリップ（９）を真ん中にして左右に・再帰性反射材を用いた蝶々羽様等の・歩を進める毎に自ずと踊り跳ねるように動く踊躍リボン（１０）を・弾性細線材（１１）で一体的に連結し、斯様に形成された反射材踊躍リボン部（２）を脚絆本体部（６）のリボン取付け用小ポケット（７）に装着し、斯くして一つの全体としての「脚絆型安全グッズ」として利用される。
特に夜間において車のライトが下向きに照らしている時にも、歩く人の身体の真っ先に照射される脚部位（１２）において、上下動が波のように進んでいく膝一帯の運動軌跡に伴って、弾性細線材（１１）を介してひらひらと踊り跳ねながら、光源への全方向再帰性反射材の鮮やかな輝きによって、いち早くドライバーへの認識を効果的ならしめる。洗濯に際しては反射材踊躍リボン部（２）を簡単に取り外しおき、非使用時には脚絆部（１）は普通の布生地製品同様にきれいに薄く畳んで、反射材踊躍リボン部（２）と一緒にコンパクトに収納できる。
本考案は以上の様な構成であり、以下その具体的な使用方法を説明する。
本考案を使用するに当たって、特別の「交通安全対策」を意識する必要はない。ただ、格好いい・身なりを素敵にあるいは可愛く見せたい等々の自然な動機で、出来るだけ日常的に着衣利用してもらうのが一番の眼目であり、その結果として交通事故から身を護る可能性が大きくなればよい。
着衣する時は、反射材踊躍リボン部（２）のリボン取付けクリップ（９）を脚絆部（１）のリボン取付け用小ポケット（７）に装着し、丁度靴下を履く要領で、脚絆部（１）の上部開口を足部位（１３）先から挿し入れ、膝まで引き上げれば、膝から足首までがすっぽり覆われる。その時、既に履いている靴下やストッキングの上から装着して構わない。
歩き始めると、一歩毎の脚部位（１２）の動きに連れて、膝辺の上下動が波のように進んでいく一定の規則的運動の中で、踊躍リボン（１０）が弾性細線材（１１）の両端で不規則自由な・ひらひらと舞い踊り跳ねまわる様な動きが伴って生じる。夜走行中の車から見た時、それは異様な鮮やかさで反射輝き、非常に興味を引く動きで、ドライバーは直ちに注意を喚起されるのである。
踊躍リボン（１０）は蝶々やサッカーボールやその他児童子供たちが好むような様々な形でデザイン化されてよい。また、再帰性反射材は正面からの光源に対してだけでなく、斜めから・横からの全方向の光に対し、光源に再帰的に反射できるので、事故の危険防止の観点からは最も望ましい反射材であるが、在庫切れ等の事情により、従来一般の反射材で踊躍リボン（１０）が形成される事があっても差し支えない。
汚れて洗濯する時には、リボン取付けクリップ（９）を簡単に外せばよい。又使用しない時には、脚絆部（１）は通常の布地製品と同様に小さく折り畳んで収納でき、携帯にも非常に便利である。
【符号の説明】
【０００９】（１）脚絆部，  （２）反射材踊躍リボン部，  （３ａ）フリル，  （３ｂ）フリル，  （４）帯状再帰性反射材，  （５ａ）シャーリングゴム様縫付け部，  （５ｂ）シャーリングゴム様縫付け部，  （６）脚絆本体部，  （７）リボン取付け用小ポケット，  （８）目玉状等再帰性反射材，  （９）リボン取付けクリップ，  （１０）踊躍リボン，  （１１）弾性細線材，  （１２）脚部位，  （１３）足部位
【図１】
0003196853.tif 000003
【図２】
0003196853.tif 000004
【図３】
0003196853.tif 000005
【図４】
0003196853.tif 000006